(57)【要約】      （修正有）【課題】射精を遅らせるための訓練装置を提供する。【解決手段】射精を遅らせるための訓練装置は、ハウジングと、ハウジングの内部に固定されるモーター２０と、ハウジングの先端に取り付けられる取付リング３０とを含み、当該取付リング３０は、モーター２０の回転軸と同期回転するように当該回転軸に接合されており、取付リング３０の内壁に複数の可撓性毛部材４０が均一に分布しており、当該複数の可撓性毛部材４０の内側端部によって収納スペースを形成している。【選択図】図１
0003194717.tif 000002
【実用新案登録請求の範囲】
【請求項１】
射精を遅らせるための訓練装置であって、
ハウジングと、
前記ハウジングの内部に固定されるモーターと、
前記ハウジングの先端に取り付けられる取付リングと、
を含み、
前記取付リングは、前記モーターの回転軸と同期回転するように当該回転軸に接合されており、前記取付リングの内壁に複数の可撓性毛部材が均一に分布しており、当該複数の可撓性毛部材の内側端部によって収納スペースを形成している、
ことを特徴とする射精を遅らせるための訓練装置。
【請求項２】
前記ハウジングの先端には、エンドカバーが接合され固定されており、
前記エンドカバーの外側には、前記取付リングを収納するための凹部が設けられており、
前記取付リングは、前記エンドカバーにピン接合され、且つ前記凹部に収納されている、
ことを特徴とする請求項１に記載の射精を遅らせるための訓練装置。
【請求項３】
前記モーターの回転軸には、回転部品が同期回転するように接合されており、
前記取付リングの下端部には、接合部品が同期回転するように接合されており、
前記回転部品の上面と前記接合部品の下面とは、噛み合って同期回転するように接合されている、
ことを特徴とする請求項１記載の射精を遅らせるための訓練装置。
【請求項４】
前記回転部品の上面には、当該回転部品の径方向に延びている複数のリブが設けられており、
前記接合部品の下面には、前記リブを挿入させるための複数の凹溝が設けられている、
ことを特徴とする請求項３に記載の射精を遅らせるための訓練装置。
【請求項５】
前記取付リングの下端部と前記接合部品とは、取り外しできるように係合している、
ことを特徴とする請求項３に記載の射精を遅らせるための訓練装置。
【考案の詳細な説明】
【技術分野】
【０００１】
本考案は、男性の早漏症状を治療するための医療機器に関し、具体的に、射精を遅らせるための訓練装置に関する。
【背景技術】
【０００２】
仕事、生活によるストレスの増加とともに、男性においては早漏などの射精機能障害を起こす確率がますます増えているので、夫婦生活の不調和を引き起こし、夫婦感情に影響を与え、曳いては家庭の安定にも影響を与えることがある。早漏の症状について、従来の治療方法は一般的に経口剤を主とするが、薬剤によって良い治療効果が得られる一方、長期にわたって薬剤を服用すると、強い副作用をもたらす可能性があるので、健康の面から見ると、外部からのマッサージや刺激などの治療方法が比較的望ましい治療手段である。しかしながら、早漏の治療を目的とする従来の治療器具は治療効果が不十分で、且つ外用剤による補助治療が必要とする場合も多いので、依然として一定の副作用を有している。
【考案の概要】
【考案が解決しようとする課題】
【０００３】
前述のような従来技術の問題点を解決するために、本考案の目的は、治療過程において外用剤を使用せず、副作用がなく、且つ理想的な治療効果がある、射精を遅らせるための訓練装置を提供することにある。
【課題を解決するための手段】
【０００４】
上記目的を達成するために、本考案は、ハウジングと、上記ハウジングの内部に固定されるモーターと、上記ハウジングの先端に取り付けられる取付リングとを含み、上記取付リングは、上記モーターの回転軸と同期回転するように当該回転軸に接合されており、上記取付リングの内壁に複数の可撓性毛部材が均一に分布しており、当該複数の可撓性毛部材の内側端部によって収納スペースを形成している、射精を遅らせるための訓練装置を提供する。
【０００５】
上記ハウジングの先端には、エンドカバーが接合され固定されており、上記エンドカバーの外側には、上記取付リングを収納するための凹部が設けられており、上記取付リングは、上記エンドカバーにピン接合され、且つ上記凹部に収納されている。
【０００６】
上記モーターの回転軸には、回転部品が同期回転するように接合されており、上記取付リングの下端部には、接合部品が同期回転するように接合されており、上記回転部品の上面と上記接合部品の下面とは、噛み合って同期回転するように接合されている。
【０００７】
上記回転部品の上面には、当該回転部品の径方向に延びている複数のリブが設けられており、上記接合部品の下面には、上記リブを挿入させるための複数の凹溝が設けられている。
【０００８】
上記取付リングの下端部と上記接合部品とは、取り外し可能なように係合している。
【０００９】
本考案に係る射精を遅らせるための訓練装置は、従来技術と比べて、使用中において陰茎表皮の感度を徐々に低下させ、陰茎表皮に微細な角質層を形成できるので、陰茎の耐摩擦性を有効的に向上させ、最終的に男性の早漏に対する治療目的を達成することができるとともに、使用中に外用剤を使わないので、人体に対して全く副作用がないという有益な効果を有する。
【図面の簡単な説明】
【００１０】
【図１】図１は、本考案の構造概略図である。
【図２】図２は、図１における回転部品と接合部品との係合関係を示す概略図である。
【考案を実施するための形態】
【００１１】
以下、図面及び具体的な実施形態を参照して、本考案についてさらに説明する。
【００１２】
図１、２は、本考案に係る射精を遅らせるための訓練装置を示す図である。図１、２に示すように、射精を遅らせるための訓練装置は、ハウジングと、モーター２０と、取付リング３０と、複数の可撓性毛部材４０とを含む。ハウジングは、２つのハウジングユニット１１、及びその先端に位置するエンドカバー１２で構成される。モーター２０は、ハウジングの内部に位置し、その本体部分がハウジングの内壁に固定されており、エンドカバー１２の外側に凹部１２１が設けられている。取付リング３０は、エンドカバー１２にピン接合され、凹部１２１に収納されている。取付リング３０の下端部は、モーター２０の回転軸と同期回転するようにモーター２０の回転軸に接合され、モーター２０の駆動により取付リング３０がその中心軸周りに回転する。上記複数の可撓性毛部材４０は、取付リング３０の内壁に接合され固定されており、当該複数の可撓性毛部材４０の内側端部によって収納スペースを形成している。可撓性毛部材４０は、取付リング３０の内部に均一に分布して、取付リング３０の軸方向に沿って複数輪になるように等間隔に配列している。
【００１３】
モーター２０の回転軸には、回転部品２１が同期回転するように接合されている。取付リング３０の下端部には、接合部品２２が同期回転するように接合されている。回転部品２１の上面と接合部品２２の下面とは、互いに噛み合って同期回転するように接合されている。具体的に、回転部品２１の上面には、回転部品２１の径方向に延びている複数のリブ２１１が設けられており、接合部品２２の下面には、複数の凹溝２２１が設けられており、リブ２１１は一対一対応するように凹溝２２１に挿入している。
【００１４】
取付リング３０の下端部と接合部品２２とは、取り外しできるように係合している。異なる取付リング３０を付け替えてもよく、すなわち、硬度の異なる可撓性毛部材４０が設けられる取付リング３０を付け替えてもよく、その都度、使用者が自分の状況や異なる訓練段階によって，硬度の異なる可撓性毛部材４０を選択できる。
【００１５】
本考案に係る射精を遅らせるための訓練装置は、使用中において、複数の可撓性毛部材４０によって囲まれた収納スペースに陰茎を置き、モーター２０を駆動さると、可撓性毛部材４０が陰茎表皮に対して回転しながら摩擦する。訓練過程において、陰茎表皮の感度を徐々に低下させると同時に、陰茎表皮に微細な角質層を形成できるので、陰茎の耐摩擦性を有効に向上させ、性生活における陰茎の勃起時間を延長し、最終的に男性の早漏に対する治療目的を達成する。本考案に係る射精を遅らせるための訓練装置は、使用者の感度によって、硬度の異なる可撓性毛部材４０を選択でき、異なる訓練段階において、実際の状況によって硬度の異なる可撓性毛部材４０を選択でき、また、訓練治療の全過程において外用剤を使わないので、全く副作用がない。
【００１６】
本技術分野の当業者にとって、上記で説明した技術的解決手段及び構想に基づいて、他の様々な対応する改良と修飾をさらに行うことができるが、これらの改良及び改変は、本考案の保護範囲に含まれると見なされるべきである。
【符号の説明】
【００１７】
１１    ハウジングユニット
１２    エンドカバー
１２１  凹部
２０    モーター
２１    回転部品
２１１  リブ
２２    接合部品
２２１  凹溝
３０    取付リング
４０    可撓性毛部材
【図１】
0003194717.tif 000003
【図２】
0003194717.tif 000004